(57)【要約】【課題】  本発明は、簡単な構成で自然な笑顔や動きを撮影することができるダミーシャッター装置及びこの装置を備えてなる写真機を提供することを目的とする。【解決手段】  写真機に備え付けられるダミーシャッター装置であって、該装置は、動作開始部、ダミーシャッター音発生部及び／又はダミーフラッシュ光発生部からなり、動作開始部に与えられる操作に応じて、擬似シャッター音及び／又は擬似フラッシュ光を発することを特徴とするダミーシャッター装置。【選択図】  図２
2007256713.tif 000002
【特許請求の範囲】
【請求項１】
写真機に備え付けられるダミーシャッター装置であって、該装置は、動作開始部、ダミーシャッター音発生部及び／又はダミーフラッシュ光発生部からなり、動作開始部に与えられる操作に応じて、擬似シャッター音及び／又は擬似フラッシュ光を発することを特徴とするダミーシャッター装置。
【請求項２】
動作開始部の操作時に応じて、一定の時間差を隔てて写真機の撮影ボタン又はシャッターを直接ないし間接的に操作するシャッター操作部が更に備えられてなる請求項１に記載のダミーシャッター装置。
【請求項３】
時間差を調節するための時間差調節部が備えられてなる請求項２に記載のダミーシャッター装置。
【請求項４】
請求項１ないし３のいずれか1項に記載のダミーシャッター装置が備えられてなることを特徴とする写真機。
【発明の詳細な説明】
【技術分野】
【０００１】
本発明は、写真機本体のシャッターが切られる前に、擬似のシャッター音や擬似のフラッシュ光を発するダミーシャッター装置及びこの装置を備えてなる写真機に関する。
【背景技術】
【０００２】
一般に「カメラ」と称されるフィルムカメラやデジタルカメラなどの写真機は、記録媒体の違いはあるものの、いずれも何かの記念日や日常生活などを撮影して記録するための道具である点については変わりなく、現在、各種機能を備えた写真機が、各家庭に一台以上は必ずあるといっていいほど広く普及している（例えば、特許文献１〜４）。
【０００３】
【特許文献１】特開２００４−０２９４２３号公報
【特許文献２】特開２００２−３３３６５０号公報
【特許文献３】特開２００２−１６５１７４号公報
【特許文献４】特開２０００−０２３０１６号公報
【０００４】
これら写真機においては、撮影者が被写体にレンズを向け、所望の瞬間にシャッターを切ることにより、その瞬間の映像がフィルムや乾板、或いはＣＤやメモリーカード、ＨＤＤなどの電子媒体などの記録媒体に記録され、その後、必要に応じて専用の記録紙に焼き付けたり、プリンタでプリントアウトしたりするのである。
【発明の開示】
【発明が解決しようとする課題】
【０００５】
ところで、一般に、写真機のレンズを向けられた者（被写体）は、緊張して表情が硬くなったり、動きが固まったりする傾向があり、特に、この傾向は写真撮影に慣れていない年配の人や子供において顕著であり、自然な笑顔や動きのある映像を写真に収めることは非常に困難であった。
【０００６】
もっとも、写真撮影時に緊張する者であっても、一旦写真撮影が終了すると、途端に表情が柔らかく、動作も自然になるものであり、そのため、撮影者としてはこのような自然な笑顔や動きのある映像を写真に収めるべく、何枚も連続で写真を撮ったりすることも多い。
【０００７】
しかしながら、デジタルカメラにおいては、シャッター操作を行った際と実際の撮影時との間にタイムラグがあることから連続の撮影に不向きであり、一方、フィルムカメラにおいては、フィルムを巻き上げたり、フラッシュの再充電に時間がかかったりすることがあり、やはり連続撮影が困難なばかりか、フィルムの無駄が多くなるといった問題がある。
【０００８】
そこで、本発明者は、このような問題を解決すべく鋭意検討を重ねた結果、写真機に備え付けられるダミーシャッター装置であって、該装置は、動作開始部、ダミーシャッター音発生部及び／又はダミーフラッシュ光発生部からなり、動作開始部に与えられる操作に応じて、擬似シャッター音及び／又は擬似フラッシュ光を発することを特徴とする本発明のダミーシャッター機構を開発するに至ったのである。
【０００９】
即ち、本発明者は、写真撮影の際のシャッター音やフラッシュ光を感じた被写体は、撮影が終了したと考えて緊張が解けた自然な笑顔や動きになる点に着目し、これより、写真機のシャッターが切られる前に先んじて擬似のシャッター音や擬似のフラッシュ光を発生させ、その後、一定の時間差を隔てて写真機のシャッターを切るようにすれば、その緊張が解けた自然な笑顔や動きを撮影することができるとの知見を得たのである。
【００１０】
本発明は、上記知見に基づき完成されたものであり、簡単な構成で自然な笑顔や動きを撮影することができるダミーシャッター装置及びこの装置を備えてなる写真機を提供することを目的とする。
【課題を解決するための手段】
【００１１】
本発明のダミーシャッター装置は、写真機に備え付けられるダミーシャッター装置であって、動作開始部、ダミーシャッター音発生部及び／又はダミーフラッシュ光発生部からなり、動作開始部に与えられる操作に応じて、擬似シャッター音及び／又は擬似フラッシュ光を発することを特徴とする。
【００１２】
又、本発明の写真機は、前記本発明のダミーシャッター装置を備えてなることを特徴とする。
以下、本発明のダミーシャッター装置及び写真機について順に詳細に説明する。
【００１３】
本発明のダミーシャッター装置は、写真機に備え付けられるものであり、前記写真機としては、撮影ボタンやシャッターの操作などを行うことにより、その瞬間の映像がフィルムや乾板、或いはＣＤやメモリーカード、ＨＤＤなどの電子媒体などの記録媒体に記録されるものであれば、特に限定されるものではなく、具体的に例えば、フィルムカメラやデジタルカメラなどの一般的にカメラと称されるものの他、一般に使い捨てカメラと称されるレンズ付きフィルムや写真撮影機能のついたビデオカメラなども含まれるのである。
【００１４】
なお、前記写真機に対して本発明のダミーシャッター装置を備え付ける方法としては、特に限定されるものではなく、例えば、当該装置に挟持部やネジ部を設けることにより、写真機に挟持したり、ネジ止めしたりしても良く、或いは粘着剤や接着剤により写真機に付着したり、ゴムやバネなどの弾性体により弾性的に写真機に取り付けたりしても良いのである。
【００１５】
又、必ずしも本発明のダミーシャッター装置を写真機と別体で形成する必要は無く、写真機自体に本発明のダミーシャッター装置を組み込んでも良いのである。
【００１６】
そして、本発明のダミーシャッター装置は、「動作開始部」、「ダミーシャッター音発生部」及び／又は「ダミーフラッシュ光発生部」からなる。
【００１７】
前記動作開始部は、使用者に操作されることにより、前記ダミーシャッター音発生部及び／又はダミーフラッシュ光発生部の作動のきっかけとなる電気的信号や物理的な信号を与えものであり、外観的には、スイッチやボタンなどの形態で存在するものが一般的であるが、その他、無線や有線などにより遠隔操作が可能になるように構成してもよく、その形態については特に限定されるものではない。
【００１８】
又、前記ダミーシャッター音発生部は、動作開始部からの信号を受けて、擬似シャッター音を発生するものであれば特に限定されるものではないが、具体的に例えば、シャッター音を電子的または磁気的に記録するメモリー部と、このメモリー部に記録されたシャッター音を装置外部に聞こえるようにするスピーカー部からなるものなどを一般的な例として挙げることができる。
【００１９】
なお、擬似シャッター音としては、通常の写真機が発生するような「カシャッ」という音に類似した音が一般的に採用されるが、本発明においては、これに限られるものではなく、各種電子音その他の所望の音であっても良いのであり、又、複数種の音をメモリー部に記録しておき、使用者が適宜選択できるようにしても良いのである。
【００２０】
更に、前記ダミーフラッシュ光発生部は、前記動作開始部からの信号を受けて、写真機のフラッシュ光に類似した擬似フラッシュ光を発生するものであれば特に限定されるものではないが、一般的には、フラッシュ光に類似した光を発生する光源部からなるものなどを挙げることができる。
【００２１】
即ち、本発明のダミーシャッター装置は、動作開始部に与えられる操作に応じて、擬似シャッター音及び／又は擬似フラッシュ光を発するものであり、本発明のダミーシャッター装置を写真機に備え付けて、写真機のシャッターを切る前に先んじて擬似シャッター音や擬似フラッシュ光を発すれば、当該擬似シャッター音や擬似フラッシュ光を感じた被写体が、撮影が終了したものと考えて緊張が解けた自然な笑顔や動きになり、その後、一定の時間差を隔てて写真機のシャッターを切れば、その緊張が解けた自然な笑顔や動きを撮影することができるようになるのである。
【００２２】
ところで、前述の本発明のダミーシャッター装置が備えられた写真機の使用において、その撮影者が、ダミーシャッター装置における動作開始部を操作した後、続けて写真機のシャッターを切るような構成のものは、撮影者がファインダーなどを通してもっとも良い撮影タイミングを図ることができるなど利点があるが、動作開始部の操作及び写真機のシャッターを切る操作の二回の操作を速やかにこなさなければならず、そのため手ぶれによる撮影ミスが生じる場合がある。
【００２３】
この点につき、本発明のダミーシャッター装置においては、動作開始部の操作に応じて、一定の時間差を隔てて写真機の撮影ボタン又はシャッターを直接ないし間接的に操作するシャッター操作部を更に備えることが好ましく、即ち、本発明のダミーシャッター装置において、このシャッター操作部を更に備えれば、動作開始部を操作する一回の作業だけで、一定の時間差を隔てて写真機のシャッターが自動的に切られるのであり、使用者がシャッターを切る操作をせずに済むことから、手ぶれによる撮影ミスを防止することが可能になるのである。
【００２４】
前記シャッター操作部としては、動作開始部からの信号を受けた後、一定の時間差を隔てて写真機の撮影ボタンやシャッターを直接ないし間接的に操作するものであれば特に限定されるものではないが、具体的に例えば、動作開始部からの信号を受けた後、所定の時間差をカウントするカウント部、及びカウント部のカウントの終了を受けて、写真機の撮影ボタンやシャッター操作を行う実行部からなるものなどを一般的な例として挙げることができる。
【００２５】
なお、時間差については、特に限定されるものではなく、一般的には０〜５秒程度の間隔が空くように設定すれば良いのであるが、本発明のダミーシャッター装置においては、使用者がこの時間差を自由に調整できるように、時間差調節部を備えることが好ましい。
【００２６】
即ち、時間差調節部を設けることにより、被写体の性格や撮影条件に応じて所望の時間差を選択することができるのであり、時間差を０秒にした場合にあっては、通常の撮影とほぼ同様の撮影も可能になるうえ、デジタルカメラなどの撮影ボタンを操作した際と実際の撮影時との間にタイムラグがあるものについても適宜対応することができるようになるのである。
【００２７】
本発明の写真機は、前記本発明のダミーシャッター装置を備えてなることを特徴とするものであり、即ち、本発明のダミーシャッター装置を、市販の写真機に別体として取り付けたり、写真機の内部構造に組み込んだりしたものであり、写真機のシャッターが切られる前に先んじて擬似のシャッター音や擬似のフラッシュ光が発するから、撮影が終了したと考えて緊張が解けた被写体の自然な笑顔や動きを撮影することができるのである。
【発明の効果】
【００２８】
本発明は、前記構成を有し、簡単な構成で自然な笑顔や動きを撮影することができるダミーシャッター装置及びこの装置を備えてなる写真機である。
【００２９】
即ち、本発明のダミーシャッター装置は、動作開始部に与えられる操作に応じて、擬似シャッター音及び／又は擬似フラッシュ光を発するものであり、本発明のダミーシャッター装置を写真機に備え付けて、写真機のシャッターを切る前に先んじて擬似のシャッター音や擬似のフラッシュ光を発すれば、当該擬似シャッター音や擬似フラッシュ光を感じた被写体が、撮影が終了したと考えて緊張が解けた自然な笑顔や動きになり、その後、一定の時間差を隔てて写真機のシャッターを切れば、その緊張が解けた自然な笑顔や動きの被写体を撮影することができるようになるのである。
【００３０】
又、本発明の写真機は、前記本発明のダミーシャッター装置を備えてなることを特徴とするものであり、写真機のシャッターが切られる前に先んじて擬似のシャッター音や擬似のフラッシュ光が発するから、撮影が終了したと考えて緊張が解けた被写体の自然な笑顔や動きを撮影することができるのである。
【発明を実施するための最良の形態】
【００３１】
以下、本発明の実施例を説明するが、本発明はこの実施例に限定されるものではない。
【実施例１】
【００３２】
図１は、実施例１に係る本発明のダミーシャッター装置１を、写真機７に取り付ける状態を示す模式図であり、当該ダミーシャッター装置１は、動作開始部２としてのスイッチ、ダミーシャッター音発生部３及びダミーフラッシュ光発生部４からなり、写真機７本体側面部に嵌め込んだ後、ネジ５を締め付けることにより、写真機７に取り付けられる。
【００３３】
又、このダミーシャッター装置１は、動力として図示しない電池を備えており、使用者が前記動作開始部２を操作することにより、電気信号がダミーシャッター音発生部３及びダミーフラッシュ光発生部４に与えられ、前記ダミーシャッター音発生部３から擬似のシャッター音（カシャ音）を発生すると共に、前記ダミーフラッシュ光発生部４からフラッシュ光に類似した擬似フラッシュ光を発生するように構成されている。
【００３４】
図２は、このダミーシャッター装置１を備えてなる写真機７の使用状態を示す模式図であり、図２（ａ）に示すように、撮影者は被写体にレンズを向けた後、まず、写真機７の撮影ボタン７１を押す前に先んじてダミーシャッター装置１の動作開始部２を操作し、擬似シャッター音及び擬似フラッシュ光を発する。
【００３５】
そして、この擬似シャッター音や擬似フラッシュ光を感じた被写体が、撮影が終了したと考えて緊張が解けた自然な笑顔や動きになったところで、図２（ｂ）に示すように、一定の時間差を隔てて撮影者が写真機７の撮影ボタンを操作するのであり、これにより緊張が解けた自然な笑顔や動きの被写体を撮影することができるのである。
【実施例２】
【００３６】
図３は、実施例２に係る本発明のダミーシャッター装置１を、写真機７に取り付ける状態を示す模式図であり、当該ダミーシャッター装置１は、動作開始部２としてのスイッチ、ダミーシャッター音発生部３及びダミーフラッシュ光発生部４からなり、写真機７本体側面部に嵌め込んだ後、ネジ５を締め付けることにより、写真機７に取り付けられる。
【００３７】
又、このダミーシャッター装置１は、動力として図示しない電池を備えており、使用者が前記動作開始部２を操作することにより、電気信号がダミーシャッター音発生部３及びダミーフラッシュ光発生部４に与えられ、前記ダミーシャッター音発生部３から擬似シャッター音（カシャ音）を発生すると共に、前記ダミーフラッシュ光発生部４からフラッシュ光に類似した擬似フラッシュ光を発生するように構成されている。
【００３８】
更に、このダミーシャッター装置においては、動作開始部２の操作に応じて、一定の時間差を隔てて写真機７の撮影ボタンを操作するシャッター操作部が内蔵されており、加えて、使用者がこの時間差を自由に調整できるように、時間差調節部６が備えられている。
【００３９】
図４は、このダミーシャッター装置１を備えてなる写真機７の使用状態を示す模式図であり、図４（ａ）に示すように、撮影者は被写体にレンズを向けた後、ダミーシャッター装置１の動作開始部を操作し、擬似シャッター音及び擬似フラッシュ光を発する。
【００４０】
そして、このダミーシャッター装置においては、動作開始部２の操作に応じて、一定の時間差を隔てて写真機７の撮影ボタンを操作するシャッター操作部が備えられているから、この擬似シャッター音や擬似フラッシュ光を感じた被写体が、撮影が終了したと考えて緊張が解けた自然な笑顔や動きになったところで、図４（ｂ）に示すように、写真機７のシャッターが自動的に切られるのであり、これにより緊張が解けた自然な笑顔や動きの被写体を撮影することができるのである。
【図面の簡単な説明】
【００４１】
【図１】図１は、実施例１に係る本発明のダミーシャッター装置を、写真機に取り付ける状態を示す模式図である。
【図２】図２は、実施例１に係る本発明のダミーシャッター装置を備えてなる写真機の使用状態を示す模式図である。
【図３】図３は、実施例２に係る本発明のダミーシャッター装置を、写真機に取り付ける状態を示す模式図である。
【図４】図４は、実施例２に係る本発明のダミーシャッター装置を備えてなる写真機の使用状態を示す模式図である。
【符号の説明】
【００４２】
１  ダミーシャッター装置
２  動作開始部
３  ダミーシャッター音発生部
４  ダミーフラッシュ光発生部
５  ネジ
６  時間差調節部
７  写真機
【図１】
2007256713.tif 000003
【図２】
2007256713.tif 000004
【図３】
2007256713.tif 000005
【図４】
2007256713.tif 000006